(57)【要約】【課題】記録された通信情報の再生の許可或いは不許可を、事後に設定したり再生の都度確認することができるようにした通信端末装置及び通信制御装置並びに通信記録再生方法を提供する。【解決手段】通話対象の通信端末装置から、通話を記録した後の該記録した通話内容の再生許可に関する情報を受信する受信手段と、通話内容を記録する際に、通話内容と通話内容の再生許可に関する情報とを関連付けて記録する記録手段と、記録手段により記録された通話内容を再生する際、再生する通話内容に関連付けて記録されている通話内容の再生許可に関する情報に基づいて通話内容を再生する再生手段とを有する。再生許可に関する情報に、通話対象の通信端末装置に再生の確認を求める情報が含まれている場合、通話対象の通信端末装置に再生の可否を確認し許可を得た場合に限り、通話内容を再生する。【選択図】図１
2007267337.tif 000002
【特許請求の範囲】
【請求項１】
通話対象の通信端末装置から、通話を記録した後の該記録した通話内容の再生許可に関する情報を受信する受信手段と、
前記通話内容を記録する際に、該通話内容と前記通話内容の再生許可に関する情報とを関連付けて記録する記録手段と、
該記録手段により記録された通話内容を再生する際、該再生する通話内容に関連付けて記録されている前記通話内容の再生許可に関する情報に基づいて前記通話内容を再生する再生手段と
を有する通信端末装置。
【請求項２】
前記通話内容の再生許可に関する情報に、前記通話対象の通信端末装置に再生の確認を求める旨の情報が含まれている場合、前記再生手段は、前記通話内容を再生する際、前記通話対象の通信端末装置に再生の可否を確認し、前記通話対象の通信端末装置から再生の許可を得た場合に限り、前記通話内容を再生する請求項１に記載の通信端末装置。
【請求項３】
テレビ電話通信機能を備え、該テレビ電話通信機能を備えた前記通話対象の通信端末装置との間で、テレビ電話通信を行うテレビ電話装置である請求項１または２に記載の通信端末装置。
【請求項４】
通話中の通信端末装置から、当該通話を記録した後の該記録した通話内容の再生許可に関する情報を受信する受信手段と、
前記通話中の通信端末装置から当該通話内容を記録する指示を受けた際に、該通話内容と前記通話中の通信端末装置から前記受信手段により受信した前記通話内容の再生許可に関する情報とを関連付けて記録する記録手段と、
該記録手段により記録された通話内容を再生する際、該再生する通話内容に関連付けて記録されている前記通話内容の再生許可に関する情報に基づいて、前記通話内容を再生を指示した通信端末装置に送信する送信手段と
を有する通信制御装置。
【請求項５】
前記通話内容の再生許可に関する情報に、該情報を送信した通信端末装置に対して再生の確認を求める旨の情報が含まれている場合、前記送信手段は、前記通話内容を再生する際、前記情報を送信した通信端末装置に対して再生の可否を確認し、当該通信端末装置から再生の許可を得た場合に限り、前記通話内容を送信する請求項４に記載の通信制御装置。
【請求項６】
複数の前記通信端末装置と共に通信網に接続されて、前記通信端末装置のそれぞれと通信し、通話情報を記録する記録サーバである請求項４または５に記載の通信制御装置。
【請求項７】
前記通信端末装置は、テレビ電話通信機能を備え、前記通信端末装置間でテレビ電話通信を行うテレビ電話装置である請求項４から６のいずれか一項に記載の通信制御装置。
【請求項８】
通話対象の通信端末装置から、通話を記録した後の該記録した通話内容の再生許可に関する情報を受信する処理と、
前記通話内容を記録する際に、該通話内容と前記通話内容の再生許可に関する情報とを関連付けて記録する処理と、
記録された通話内容を再生する際、該再生する通話内容に関連付けて記録されている前記通話内容の再生許可に関する情報に基づいて前記通話内容を再生する処理と
を有する通話記録再生方法。
【請求項９】
通話中の通信端末装置から、当該通話を記録した後の該記録した通話内容の再生許可に関する情報を受信する処理と、
前記通話中の通信端末装置から当該通話内容を記録する指示を受けた際に、該通話内容と前記通話中の通信端末装置から前記受信手段により受信した前記通話内容の再生許可に関する情報とを関連付けて記録する処理と、
記録された通話内容を再生する際、該再生する通話内容に関連付けて記録されている前記通話内容の再生許可に関する情報に基づいて、前記通話内容を再生を指示した通信端末装置に送信する処理と
を有する通話記録再生方法。
【請求項１０】
前記通話内容の再生許可に関する情報に、前記通信端末装置に再生の確認を求める旨の情報が含まれている場合、前記通話内容を再生する際、前記通信端末装置に再生の可否を確認し、前記通信端末装置から再生の許可を得た場合に限り、前記通話内容を再生する請求項８または９に記載の通話記録再生方法。
【発明の詳細な説明】
【技術分野】
【０００１】
この発明は、通信端末装置及び通信制御装置並びに通話記録再生方法に関し、特に、通話内容を記録再生する記録再生機能を備えた通信端末装置及び通信制御装置、並びに記録された通話内容を再生する通話記録再生方法に関する。
【背景技術】
【０００２】
従来、テレビ電話装置やテレビ会議装置を使用して、テレビ電話やテレビ会議が行われている。この際、テレビ電話やテレビ会議の参加者の間で、参加者の顔画像や音声がデジタルデータとして相手に送信されるため、相手の端末装置においてこれらのデータが通信情報（通話情報）として記録された場合、本来のテレビ電話やテレビ会議における通信の目的とは別の目的に再利用される虞れがある。
【０００３】
このような想定外の再利用を防ぐために、これらのデータ（通信情報）は、送信者が作成したものであるため著作権が存在すること、また、人物の顔画像には肖像権が存在することを主張し、再利用を禁止することができるような装置が望まれていた。
そこで、画像データや音声データ等を通信する通信装置であって、送信側から受信側に対して保存禁止等の制限情報を通知する、「データ通信装置」（特許文献１参照）が提案されている。この「データ通信装置」は、データ通信の開始時、内容を送受信する前に利用権限を通知する。利用権限は、例えば、保存禁止、利用回数制限、改変禁止、転送禁止といったものである。以下に、「データ通信装置」の特徴を説明する。
【０００４】
図１９は、従来のデータ通信装置における受信側の動作手順を示すフローチャートである。図１９に示すように、先ず、受信する（ステップＳ１１）と、利用権限が付与されているか否かを判断し（ステップＳ１２）、付与されている（ｙｅｓ）場合、利用権限解釈プログラムが起動し（ステップＳ１３）、付与されていない（ｎｏ）場合、処理を終了する。
【０００５】
利用権限解釈プログラムが起動した後、利用権限が解釈されて（ステップＳ１４）、解釈データが登録される（ステップＳ１５）。その後、保存が禁止されているか否かを判断し（ステップＳ１６）、判断の結果、禁止されている（ｙｅｓ）場合、データは表示される（ステップＳ１７）が保存されずに処理を終了し、禁止されていない（ｎｏ）場合、データの保存とデータの表示が何れも実行され（ステップＳ１８）、処理を終了する。
【０００６】
図２０は、従来のデータ通信装置における利用回数制限の動作手順を示すフローチャートである。図２０に示すように、先ず、利用回数の制限があるか否かを判断し（ステップＳ２１）、判断の結果、制限がある（ｙｅｓ）場合、現在の利用回数が制限内か否かを判断し（ステップＳ２２）、制限がない（ｎｏ）場合、読み出しを許可して（ステップＳ２３）処理を終了する。
【０００７】
次に、制限がある場合、現在の利用回数が制限内か否かを判断した（ステップＳ２２）結果、制限内である（ｙｅｓ）場合、読み出しを許可して（ステップＳ２３）処理を終了し、制限内でない（ｎｏ）場合、読み出しを禁止して（ステップＳ２４）処理を終了する。
【特許文献１】特開２００２−５７７３７号公報
【発明の開示】
【発明が解決しようとする課題】
【０００８】
しかしながら、従来の「データ通信装置」（特許文献１参照）では、通信の開始時に利用権限を通知して設定するため、保存が禁止されている通信中に保存が必要な事態が発生した場合、受信者の一存では保存ができなかった。逆に、保存を許可している通信中に見られては困る事態が発生した場合、後にその部分又は全体を消去することは送信者の一存ではできなかった。
【０００９】
また、保存を許可したけれど通信の終了後に再生を禁止したい、或いは逆に保存を禁止したけれど後で考えれば許可してもよかった、といった意思の変更は有り得ることであるが、そのような利用権限の事後の更新ができなかった。
この発明の目的は、記録された通信情報の再生の許可或いは不許可を、事後に設定したり再生の都度確認することができるようにした通信端末装置及び通信制御装置並びに通信記録再生方法を提供することである。
【課題を解決するための手段】
【００１０】
上記目的を達成するため、この発明に係る通信端末装置は、通話対象の通信端末装置から、通話を記録した後の該記録した通話内容の再生許可に関する情報を受信する受信手段と、前記通話内容を記録する際に、該通話内容と前記通話内容の再生許可に関する情報とを関連付けて記録する記録手段と、該記録手段により記録された通話内容を再生する際、該再生する通話内容に関連付けて記録されている前記通話内容の再生許可に関する情報に基づいて前記通話内容を再生する再生手段とを有している。
【００１１】
この発明に係る通信制御装置は、通話中の通信端末装置から、当該通話を記録した後の該記録した通話内容の再生許可に関する情報を受信する受信手段と、前記通話中の通信端末装置から当該通話内容を記録する指示を受けた際に、該通話内容と前記通話中の通信端末装置から前記受信手段により受信した前記通話内容の再生許可に関する情報とを関連付けて記録する記録手段と、該記録手段により記録された通話内容を再生する際、該再生する通話内容に関連付けて記録されている前記通話内容の再生許可に関する情報に基づいて、前記通話内容を再生を指示した通信端末装置に送信する送信手段とを有している。
【００１２】
この発明に係る通信記録再生方法は、通話対象の通信端末装置から、通話を記録した後の該記録した通話内容の再生許可に関する情報を受信する処理と、前記通話内容を記録する際に、該通話内容と前記通話内容の再生許可に関する情報とを関連付けて記録する処理と、記録された通話内容を再生する際、該再生する通話内容に関連付けて記録されている前記通話内容の再生許可に関する情報に基づいて前記通話内容を再生する処理とを有している。
【発明の効果】
【００１３】
この発明によれば、記録された通信情報の再生の許可或いは不許可を、事後に設定したり再生の都度確認することができるようになる。
【発明を実施するための最良の形態】
【００１４】
以下、この発明を実施するための最良の形態について図面を参照して説明する。
（第１実施の形態）
図１は、この発明の第１実施の形態に係るテレビ電話装置の構成を示すブロック図である。図１に示すように、テレビ電話装置（ａ  ｖｉｄｅｏ  ｔｅｌｅｐｈｏｎｅ）１０は、オーディオ・ビデオ（Ａｕｄｉｏ・Ｖｉｄｅｏ：ＡＶ）入出力部１１、コーデック部（再生手段）１２、制御部１３、通信部（受信手段）１４、ハードディスク（記録手段）１５、暗号部１６、鍵記録部１７、及び署名管理部１８を有している。本実施例では、テレビ電話装置１０は、テレビ電話機能を備えた携帯通信端末装置であり、ハードディスク１５に通信情報を記録することができる。尚、記録手段は、ハードディスクに限定するものではなく、半導体メモリ等により記録するものなども含む。
【００１５】
ＡＶ入出力部１１は、テレビ電話装置１０のカメラ、ディスプレイ、マイク、スピーカを接続するためのアナログインターフェースであり、アナログ信号の増幅、Ａ（Ａｎａｌｏｇ）／Ｄ（Ｄｉｇｉｔａｌ）変換、Ｄ／Ａ変換、及び信号の調整を行うための回路を備えている。尚、カメラ、ディスプレイ、マイク、スピーカ等は、携帯通信端末装置に内蔵されていても良い。
コーデック部１２は、ＡＶ入出力部１１でデジタル化されたＡＶ信号を圧縮するエンコーダと、圧縮された符号を伸長するデコーダ機能を有しており、専用回路とＤＳＰ（Ｄｉｇｉｔａｌ  Ｓｉｇｎａｌ  Ｐｒｏｃｅｓｓｏｒ）とＲＡＭ（Ｒａｎｄｏｍ  Ａｃｃｅｓｓ  Ｍｅｍｏｒｙ）等から構成されている。
【００１６】
映像については、公知のＭＰＥＧ４（Ｍｏｖｉｎｇ  Ｐｉｃｔｕｒｅｓ  Ｅｘｐｅｒｔｓ  Ｇｒｏｕｐ  ４）やＩＴＵ−Ｔ  Ｈ．２６３等、及びその他のコーデックを用いることができ、オーディオについては、公知のＡＡＣ（Ａｄｖａｎｃｅｄ  Ａｕｄｉｏ  Ｃｏｄｉｎｇ）やＡＭＲ（Ａｄａｐｔｉｖｅ  Ｍｕｌｔｉ−Ｒａｔｅ）等、及びその他のコーデックを利用することができる。
【００１７】
制御部１３は、テレビ電話装置１０を構成する各部を制御し、テレビ電話装置１０の各種動作を実現する。この制御部１３は、コンピュータ機器において通常利用されている演算処理装置であり、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、バス等のハードウェア、及びＲＯＭに記憶されるソフトウエアから構成される。
【００１８】
通信部１４は、携帯電話網のデータ通信を利用するものであり、携帯電話装置のデータ通信用基地局と無線通信を行う。つまり、テレビ電話装置１０と通信対象のテレビ電話装置１０との間で通信情報（通話情報）を送受信するものである。データ通信には、基地局との間で無線レイヤプロトコルを実行する。更に、制御部１４との間で、ソフトウエアにより、ＩＰ（Ｉｎｔｅｒｎｅｔ  Ｐｒｏｔｏｃｏｌ）やＴＣＰ（Ｔｒａｎｓｍｉｓｓｉｏｎ  Ｃｏｎｔｒｏｌ  Ｐｒｏｔｏｃｏｌ）等のプロトコルを実行する。
【００１９】
ハードディスク１５は、大容量の汎用的な記録装置であり、通信される画像や音声等の通信情報（通話情報）を記録する。このハードディスク１５には、送信側のテレビ電話装置１０毎に、複数（ｎ）の許可情報ａ及び暗号化通信情報ｂが相互に関連付けて記録される。許可情報とは、通信情報（通話情報）の再生許可に関する情報である。
暗号部１６は、鍵記録部１７に格納される鍵ｃを生成し、通信される通信情報を鍵ｃを用いて暗号化したり逆に復号したりする。ここで用いる暗号は、共通鍵暗号であり、例えばＡＥＳ（Ａｄｖａｎｃｅｄ  Ｅｎｃｒｙｐｔｉｏｎ  Ｓｔａｎｄａｒｄ）等である。
【００２０】
鍵記録部１７は、鍵ｃが不正なプログラムによって読み出されないように守られた記憶装置であり、その記憶内容を読み出すための信号線がバスのように露出しておらず、通信用の信号線が露出している。そして、所定のプロトコルで通信を行って認証を成功させた場合にのみ、鍵記録部１７に記録されている鍵ｃを取り出すことができる。
【００２１】
署名管理部１８は、相手のテレビ電話装置１０が送信してくるメッセージ（例えば、許可情報ａや更新情報）に電子署名が施されていた場合に、その署名を検証して送信者の確認と改竄されていないことを判定するものである。これを実行するため署名管理部１８は、相手のテレビ電話装置１０が送信してくる公開鍵を受け取り、公開鍵が正しいことを認証し、記憶している。公開鍵が正しいことを認証するには、予め、共通の認証局によって電子署名を施しておき、認証局の公開鍵によって署名を検証すればよい。
【００２２】
図２は、図１のテレビ電話装置がテレビ電話通信を行う際の通信環境を説明するブロック図である。図２に示すように、第１携帯端末装置１０ａは、携帯電話のデータ通信を用いてＩＰ（Ｉｎｔｅｒｎｅｔ  Ｐｒｏｔｏｃｏｌ）を使用する網（通信網）１９に接続している。ＩＰ網１９は、携帯電話会社が設置したものであるが、インターネットに接続することもできる。第１携帯端末装置１０ａが、第２携帯端末装置１０ｂとテレビ電話通信を開始する場合、網１９に接続している通信制御サーバ２０を利用する。
【００２３】
通信制御サーバ２０は、第２携帯端末装置１０ｂへショートメールを送り、呼び出されていることを通知する。第２携帯端末装置１０ｂは、これに応じ、データ通信を開始して網１９へ接続し、通信制御サーバ２０へ応答する。通信制御サーバ２０と第１携帯端末装置１０ａ及び第２携帯端末装置１０ｂは、ＳＩＰ（Ｓｅｓｓｉｏｎ  Ｉｎｉｔｉａｔｉｏｎ  Ｐｒｏｔｏｃｏｌ）を用いて、テレビ電話通信を開始する。
【００２４】
図３は、図１のテレビ電話装置においてテレビ電話通信の記録をする動作手順を示すフローチャートである。図３に示すように、先ず、第１携帯端末装置１０ａと第２携帯端末装置１０ｂが、通信制御サーバ２０を介してテレビ電話通信を開始する（ステップＳ１０１）。開始後、互いに相手テレビ電話装置へ公開鍵を送信する（ステップＳ１０２）。公開鍵は、成り済ましを排除するために、既知の認証局によって電子署名が施されている。
【００２５】
よって、認証局の公開鍵を署名管理部１８の中に予め記録させておき、これを用いて認証局の署名を検証すれば、相手テレビ電話装置が送信した公開鍵が確かに相手のものであることを知ることができる。相手テレビ電話装置から受信した公開鍵は、署名管理部１８が記憶し、その後に受信する電子署名の検証に用いる。
電子署名は、送信する文書のハッシュデータを送信者の秘密鍵で暗号化したデータを添付したものであり、送信者の公開鍵でのみ暗号を復号することができるため、復号したハッシュデータと受信した文書から作成したハッシュデータとが一致すれば、改竄がなかったこと、及び公開鍵に対応した秘密鍵の持ち主が署名したことが確認できるのである。
【００２６】
次に、互いに相手テレビ電話装置へ、プリセットされている許可情報ａを送信する（ステップＳ１０３）。この処理は、通信が開始された後に、一度だけ実行される。許可情報ａは、予め、テレビ電話装置の所有者によって設定されているものとするが、テレビ電話装置の操作者の意志がまだ設定されていない場合は、工場出荷時の許可情報ａが使用される。
【００２７】
この許可情報ａは、例えば、送信する通信情報ｄについて記録を許可するか或いは不許可とするか或いは要確認とするかを設定する。更に、特定の相手に対しては例外として許可する、電話帳に登録されている相手に対しては要確認とし、電話帳に登録されていない相手に対しては記録を不許可とする、といった設定が可能である。許可情報ａは、送信するテレビ電話装置が電子署名を施す。相手のテレビ電話装置から許可情報ａを受信した後に、添付されている電子署名を検証して改竄されていないことを確認する。
【００２８】
次に、記録開始か否かを判断する（ステップＳ１０４）。これは、イベントを待ってイベントが発生した際に記録開始イベントが発生したか否かを判定する処理である。第１携帯端末装置１０ａの操作者がキー操作によって記録開始を指示すると、記録開始イベントが発生する。
ステップＳ１０４の判断の結果、記録開始イベントである（ｙｅｓ）場合、第１携帯端末装置１０ａの制御部１３が記録を実行した（ステップＳ１０５）後に、テレビ電話通信を終了するか否かを判断し（ステップＳ１０６）、記録開始イベントでない（ｎｏ）場合、続けて、テレビ電話通信を終了するか否かを判断する（ステップＳ１０６）。
【００２９】
ステップＳ１０６の判断の結果、発生したイベントがテレビ電話通信の終了を通知するものである（ｙｅｓ）場合、処理を終了する。一方、テレビ電話通信の終了を通知するものでない（ｎｏ）場合、ステップＳ１０４へ戻って、次のイベントの発生を待つ。
図４は、図３のサブルーチンＳ１０５の動作手順を示すフローチャートである。図４に示すように、第１携帯端末装置１０ａの制御部１３が記録を開始すると、第１携帯端末装置１０ａが通信相手である第２携帯端末装置１０ｂへ、記録開始を通知する（ステップＳ１１１）。通知した後、開始時に受信した許可情報ａを、記録しようとする暗号化通信情報ｂに関連付けてハードディスク１５の第２携帯端末装置１０ｂの領域に記録する（ステップＳ１１２）。
【００３０】
次に、暗号部１６が、鍵ｃを生成する（ステップＳ１１３）。鍵ｃは、ＡＥＳ暗号を生成するための１２８ビットの鍵である。暗号部１６は、第１携帯端末装置１０ａに搭載されているものの、記録した暗号化通信情報ｂが第１携帯端末装置１０ａ上のプログラムから不正利用されるのを防止する役目を果たすため、その都度、乱数を用いて鍵ｃを生成する。
【００３１】
鍵ｃを生成した後、鍵ｃを鍵記録部１７に記録する（ステップＳ１１４）。前述のように、鍵記録部１７は、テレビ電話装置から直接アクセスすることができず、所定のプロトコルに従って値を読み出すことができる制限されたメモリである。暗号化通信情報ｂが第１携帯端末装置１０ａから不正利用されないために、暗号を解く際に必要となる鍵ｃが不正なプログラムから読み出されないようにしてある。つまり、鍵記録部１７から鍵ｃを読み出すには、事前に与えられたプログラムＩＤ（Ｉｄｅｎｔｉｆｉｃａｔｉｏｎ）を鍵記録部１７が認証する必要があり、改竄されたプログラムや事前に登録されていないプログラムは、鍵ｃを得ることができない。
【００３２】
次に、暗号部１６が受信した通信情報ｄを、鍵ｃで暗号化しながら、暗号化された通信情報ｂをハードディスク１５に記録する（ステップＳ１１５）。この暗号化通信情報ｂは、第２携帯端末装置１０ｂの領域に許可情報ａと関連付けて記録される。
その後、テレビ電話通信を終了するか否かを判断する（ステップＳ１１６）。判断の結果、テレビ電話通信を終了する（ｙｅｓ）場合、処理を終了し、テレビ電話通信を終了しない（ｎｏ）場合、ステップＳ１１５へ戻る。
【００３３】
図５は、図４のＳ１１１で送信した記録開始の通知を受けた第２携帯端末装置における動作手順を示すフローチャートである。図５に示すように、記録開始の通知を受けた第２携帯端末装置１０ｂは、先ず、記録開始された旨と現在の許可情報ａを表示する（ステップＳ１２１）。つまり、通信相手である第１携帯端末装置１０ａによって記録が開始されたこと、及び現在の許可情報ａを表示する。
【００３４】
ここで、第２携帯端末装置１０ｂの表示装置における表示内容について説明する。
図６は、第２携帯端末装置の表示装置における表示内容の説明図（その１）であり、図７は、第２携帯端末装置の表示装置における表示内容の説明図（その２）である。
テレビ電話通信中の画面には、相手の映像Ｐ１、自分の映像Ｐ２、サブ画面Ｐ３〜Ｐ５、及び通話時間Ｐ６が表示されている（図６参照）。通信相手である第１携帯端末装置１０ａから記録開始の通知を受けると、現在の許可設定画面を表示する（図７参照）。この許可設定画面には、プリセットされている許可情報ａに従って、「△△さんが録画を開始しました。現在の許可設定  映像：不可  音声：許可  回数：無制限  再生時確認：  不要」という文字からなるメッセージＰ７が表示される。
【００３５】
更に、許可設定画面には、操作者の入力を促すために、「現在の設定を変更しますか？」という文字からなるメッセージＰ８を表示し、サブ画面Ｐ４に「Ｙｅｓ」、サブ画面Ｐ５に「Ｎｏ」を表示する。
次に、第２携帯端末装置１０ｂは、記録開始された旨と現在の許可情報ａを表示した（ステップＳ１２１）後、操作者によるキー操作によって、変更と承諾を入力する（ステップＳ１２２）。ここで、操作者が、第２携帯端末装置１０ｂのセンターキーを押下してサブ画面Ｐ４の「Ｙｅｓ」（図７参照）を選択した場合、許可情報ａの設定変更画面が表示され、操作者が、右ソフトメニューキーを押下してサブ画面Ｐ５の「Ｎｏ」（図７参照）を選択した場合、表示されていた許可情報ａが承諾されたものとして変更は行わない。
【００３６】
図８は、第２携帯端末装置の表示装置における表示内容の説明図（その３）である。図８に示す、許可情報ａの設定変更画面では、変更可能な選択肢は、例えば、選択肢Ｐ９のように下線をつけて表し、上下キーで選択肢を移動し、右キーで選択肢の選択を行う。現在変更可能な選択肢は、選択肢Ｐ１０のようにボックスを表示し、右向きの三角形を表示してある。
【００３７】
つまり、映像と音声の選択肢は「許可」、「不可」が選択可能であり、「許可」の場合は、回数の選択肢において、「１回」、「１０回」、「無制限」が選択可能である。「１回」は１回だけ再生を許可することを指定し、「１０回」は１０回の再生を許可しそれ以後は不可とすることを指定する。再生時確認の選択肢は、確認要求情報を指定するもので、「毎回」、「１０回毎」、「不要」、「経過時間毎」が選択可能である。「１０回毎」は再生回数が１０回目、２０回目、等々の場合に確認を行うことを指定し、「経過時間毎」は所定の時間、例えば、１ヶ月毎に確認を行うことを指定するものである。
【００３８】
図８において、サブ画面Ｐ３には「ヘルプ」を、サブ画面Ｐ４には「Ｏｋ」を、サブ画面Ｐ５には「Ｃａｎｃｅｌ」を表示してある。操作者がセンターキーを押下して「Ｏｋ」を選択すると、現在の設定が承諾されたものとして有効になり、操作者が右ソフトメニューキーを押下してサブ画面Ｐ５の「Ｃａｎｃｅｌ」を選択した場合には、現在表示されている内容を破棄して、前の画面（図７参照）に戻る。
【００３９】
操作者の承諾が得られたら、変更が有るか否かを判断する（ステップＳ１２３。図５参照）。操作者が承諾した内容が、以前に第１携帯端末装置１０ａに既に通知した内容から変更が有る（ｙｅｓ）場合、相手である第１携帯端末装置１０ａに送るべき更新情報を作成し（ステップＳ１２４）、変更が無い（ｎｏ）場合、処理を終了する。なお、更新情報は、操作者が承諾した内容を反映しており、所定のフォーマットのデータが作成される。
【００４０】
更新情報を作成した後、署名管理部１８が更新情報に電子署名を付加する（ステップＳ１２５）。更新情報は、改竄や成り済ましから保護されなければならないため、確かに第２携帯端末装置１０ｂが要求していることを保証するために電子署名を付加する。電子署名は、送信する更新情報データのハッシュデータを求め、これを第２携帯端末装置１０ｂの秘密鍵で暗号化したものである。
【００４１】
次に、署名された更新情報を第１携帯端末装置１０ａの記録手段へ送信する（ステップＳ１２６）。記録手段は、本実施の形態ではテレビ電話装置の中にある、制御部１３、ハードディスク１５、暗号部１６、鍵記録部１７で構成されている。
図９は、更新情報を受信した際の第１携帯端末装置の動作手順を示すフローチャートである。この動作手順は、相手のテレビ電話装置から更新情報を受信したというイベントの発生に応じて呼び出されるものである。
【００４２】
図９に示すように、先ず、署名管理部１８が受信した更新情報の電子署名が正しいか否かを判断する（ステップＳ１３１）。つまり、受信した文書のハッシュデータを求め、電子署名を第２携帯端末装置１０ｂの公開鍵で復号したものと比較し、一致すれば、改竄されておらず、且つ、確かに第２携帯端末装置１０ｂが作成したものだということが確かめられる。
判断の結果、電子署名が正しい（ｙｅｓ）場合、第１携帯端末装置１０ａが更新情報に従って許可情報ａを更新し（ステップＳ１３２）、電子署名が正しくない（ｎｏ）場合、処理を終了する。更新された許可情報は、ハードディスク１５の第２携帯端末装置１０ｂの領域に暗号化された通信情報ｂに関連付けて記録される。
【００４３】
図１０は、第１携帯端末装置が記録した通信情報を読み出して再生する動作手順を示すフローチャートである。図１０に示すように、先ず、再生しようとする暗号化された通信情報ｂに関連付けて記録してある許可情報ａを、ハードディスク１５から読み出す（ステップＳ１４１）。
許可情報ａを読み出した後、確認要求情報を処理する（ステップＳ１４２）。これは、許可情報ａに格納されている確認要求情報のサブルーチンによる処理であり、詳細は、後述する。
【００４４】
次に、許可情報ａを調べて再生が許可されているか否かを判断する（ステップＳ１４３）。判断の結果、再生が許可されている（ｙｅｓ）場合、再生しようとしている暗号化通信情報ｂに対応した鍵ｃを鍵記録部１７から取得する（ステップＳ１４４）。この際、鍵記録部１７は、読み出しを実行するプログラムが不正なものでないことを認証により判別する。予め、登録されているプログラムならば、鍵ｃを取得することができる。一方、再生が許可されていない（ｎｏ）場合、処理を終了する。
【００４５】
鍵ｃを鍵記録部１７から取得した後、ハードディスク１５から、再生しようとする暗号化された通信情報ｂを読み出し（ステップＳ１４５）、読み出した暗号化通信情報ｂに基づき、暗号部１６が暗号を復号して平文の通信情報ｄを取り出し、コーデック部１２に供給する（ステップＳ１４６）。暗号は、対応する鍵ｃを用いる。
その後、コーデック部１２のデコーダが、通信情報ａに含まれるデータを復号してＡＶ入出力部１１に供給する（ステップＳ１４７）。ＡＶ入出力部１１は、供給されたデジタルデータをＡ／Ｄ変換し、アナログ信号として、再生装置に供給する。復号したデータが供給されたＡＶ入出力部１１は、ＡＶ入出力部１１に接続してある再生装置、即ち、ディスプレイとスピーカにより、画面及び音波を再生し（ステップＳ１４８）、処理を終了する。
【００４６】
図１１は、図１０のサブルーチンＳ１４２の動作手順を示すフローチャートである。図１１に示すように、先ず、許可情報ａが確認要求情報を含んでいるか否かを判断する（ステップＳ１５１）。確認要求情報を含めるかどうかを決めたのは、相手であった第２携帯端末装置１０ｂ又はその操作者である。判断の結果、確認要求情報が有る（ｙｅｓ）場合、確認要求条件を満たしているか否かを判断し（ステップＳ１５２）、確認要求情報が無い（ｎｏ）場合、処理を終了してリターンする。
【００４７】
確認要求条件は、前述のように、例えば、「毎回」、「１０回毎」、「不要」、「経過時間毎」等が指定可能であり、「毎回」ならば常に確認要求条件が満たされ、「不要」なら常に確認要求条件は満たされない。
確認要求条件が満たされているか否かの判断（ステップＳ１５２）の結果、確認要求条件を満たしている（ｙｅｓ）場合、第２携帯端末装置１０ｂに送信する確認情報を所定のフォーマットに従って作成し（ステップＳ１５３）、確認要求条件を満たしていない（ｎｏ）場合、処理を終了してリターンする。
【００４８】
次に、通信部１４が作成した確認情報を、第２携帯端末装置１０ｂに送信し（ステップＳ１５４）、第２携帯端末装置１０ｂからの更新情報を待つ（ステップＳ１５５）。更新情報が受信された際にはイベントを発生し、これが、次のサブルーチンである許可情報ａの更新処理を実行するきっかけとなる。更新情報が受信されると、受信した更新情報に応じて許可情報ａの更新処理を行う（ステップＳ１５６）。この処理は、更新情報を受信した際の第１携帯端末装置の動作手順（図９参照）と同一の手順で行われる。
【００４９】
（第２実施の形態）
図１２は、この発明の第２実施の形態に係るテレビ電話装置の構成を示すブロック図である。図１２に示すように、テレビ電話装置３０は、ＡＶ入出力部１１、コーデック部１２、制御部１３、通信部１４、及び署名管理部１８を有している。署名管理部１８は、秘密鍵を記憶し、送信データに電子署名を付与する処理を担当する。また、公開鍵を記憶しておいて受信した電子署名を検証する。本実施例のテレビ電話装置３０は、テレビ電話機能を備えた携帯端末装置である。
【００５０】
つまり、第２実施の形態に係るテレビ電話装置３０は、第１実施の形態に係るテレビ電話装置１０（図１参照）から記録手段を取り除いた構成を有しており、記録手段は、記録サーバ３１に備えられている。
記録サーバ（通信制御装置）３１は、通常利用されているコンピュータ機器等の演算処理装置が備えているＣＰＵ３２、ＲＯＭ３３、ＲＡＭ３４、通信部（受信手段、送信手段）３５、署名管理部３６、及びハードディスク（記録手段）３７を備えている。ハードディスク３７には、許可情報ａと通信情報ｄが、各テレビ電話装置３０毎に関連付けられて記録される。
【００５１】
記録サーバ３１の署名管理部３６は、公開鍵を記憶し、公開鍵や電子署名を受信した際にその検証を行っており、少なくとも共通の認証局の公開鍵を記憶している。この署名管理部３６は、自分が正しい記録サーバであることを証明し、各テレビ電話装置３０と暗号化された通信を行うために認証局が署名した自分の公開鍵を記憶しており、公開鍵は、各テレビ電話装置３０に送信される。つまり、記録サーバ３１は、どのテレビ電話装置３０とも別個の装置であるため、通信情報ｄは暗号化して記録する必要がない。
なお、第２実施の形態に係るテレビ電話装置３０において、第１実施の形態に係るテレビ電話装置１０と同様の構成については、同一の符号を付して説明を省略し、第１実施の形態に係るテレビ電話装置１０と同様の作用についても、説明を省略する。
【００５２】
図１３は、図１２のテレビ電話装置がテレビ電話通信を行う際の通信環境を説明するブロック図である。図１３に示すように、第２実施の形態における通信環境は、第１実施の形態における通信環境と略同一であるが、記録サーバ３１が、網１９に接続して各携帯端末装置３０と通信し、通信制御サーバ２０は、通信情報を記録サーバ３１へ送信することが異なっている。このため、第１実施の形態における通信環境と異なり、第１携帯端末装置３０ａと第２携帯端末装置３０ｂは、通信情報ｄを、直接、送・受信するのではなく、通信制御サーバ２０を経由して送・受信する。
【００５３】
全ての通信情報ｄが通信制御サーバ２０を経由することにより、３台以上のテレビ電話装置３０が参加したテレビ電話／会議を実現することができる。この場合、通信制御サーバ２０は、ＭＣＵ（Ｍｕｌｔｉｐｏｉｎｔ  Ｃｏｎｔｒｏｌ  Ｕｎｉｔ）やリフレクタの役目を果たす。
図１４は、図１２の第１テレビ電話装置においてテレビ電話通信の記録をする動作手順を示すフローチャートである。図１４に示すように、先ず、第１携帯端末装置３０ａと第２携帯端末装置３０ｂが、通信制御サーバ２０を介してテレビ電話通信を開始する（ステップＳ２０１）。
【００５４】
次に、第１携帯端末装置３０ａと第２携帯端末装置３０ｂが、通信制御サーバ２０へ公開鍵を送信する（ステップＳ２０２）。これは、本実施の形態では記録手段が記録サーバ３１にあり、電子署名の検証を記録サーバ３１が行う必要があるが、記録サーバ３１のＩＰアドレスは記録毎に変更することがあるので、各テレビ電話装置は記録サーバ３１のＩＰアドレスを仮定できない。このため、通信制御サーバ２０へ登録しておき、記録の開始時に通信制御サーバ２０から記録サーバ３１へ通知する。
【００５５】
公開鍵を送信した後、各テレビ電話装置にプリセットされている許可情報ａを、通信制御サーバ２０へ送信する（ステップＳ２０３）。この処理は、通信が開始された後に一度だけ実行される。この許可情報ａも記録サーバ３１へ送るべきであるが、通信制御サーバ２０に登録しておき、記録の開始時に通信制御サーバ２０から記録サーバ３１へ通知する。
次に、記録開始か否かを判断する（ステップＳ２０４）。これは、イベントを待ってイベントが発生した際に記録開始イベントが発生したか否かを判定する処理である。第１携帯端末装置３０ａの操作者がキー操作によって記録開始を指示すると、記録開始イベントが発生する。
【００５６】
ステップＳ２０４の判断の結果、記録開始イベントである（ｙｅｓ）場合、第１携帯端末装置３０ａの制御部１３等が記録を実行した（ステップＳ２０５）後に、テレビ電話通信を終了するか否かを判断し（ステップＳ２０６）、記録開始イベントでない（ｎｏ）場合、続けて、テレビ電話通信を終了するか否かを判断する（ステップＳ２０６）。
ステップＳ２０６の判断の結果、発生したイベントがテレビ電話通信の終了を通知するものである（ｙｅｓ）場合、処理を終了する。一方、テレビ電話通信の終了を通知するものでない（ｎｏ）場合、ステップＳ２０４へ戻って、次のイベントの発生を待つ。
【００５７】
図１５は、図１４のサブルーチンＳ２０５の動作手順を示すフローチャートである。このサブルーチンＳ２０５は、記録開始イベントが発生した場合に実行される、第１携帯端末装置３０ａの制御部１３等が記録を実行する処理である。
図１５に示すように、第１携帯端末装置３０ａの制御部１３等が記録を開始すると、第１携帯端末装置３０ａが通信制御サーバ２０へ、記録開始を通知する（ステップＳ２１１）。記録開始を通知した後、通信制御サーバ２０が、記録サーバ３１へ記録開始を通知し、更に、各テレビ電話装置が通知した各テレビ電話装置にプリセットされている許可情報ａを記録サーバ３１へ送信する（ステップＳ２１２）。
【００５８】
次に、記録サーバ３１が、受信した許可情報ａを、記録しようとする通信情報ｄに関連付けてハードディスク３７の各テレビ電話装置の領域に記録する（ステップＳ２１３）。その後、通信制御サーバ２０が、各テレビ電話装置へ記録開始を通知する（ステップＳ２１４）。この通知には、記録サーバ３１のＩＰアドレスが含まれており、これによって、各テレビ電話装置は、記録サーバ３１と通信できるようになる。
【００５９】
各テレビ電話装置へ記録開始を通知した後、通信制御サーバ２０が通信情報ｄを記録サーバ３１へ送信し（ステップＳ２１５）、通信情報ｄを受信した記録サーバ３１は、受信した通信情報ｄを、ハードディスク３７の各テレビ電話装置の領域に記録する（ステップＳ２１６）。記録される通信情報ｄは、各テレビ電話装置が通知した許可情報ａと関連付けられている。
次に、テレビ電話通信を終了するか否かを判断する（ステップＳ２１７）。判断の結果、テレビ電話通信を終了する（ｙｅｓ）場合、処理を終了し、テレビ電話通信を終了しない（ｎｏ）場合、ステップＳ２１５へ戻る。
【００６０】
図１６は、第２携帯端末装置３０ｂが記録開始通知を受信した際の動作手順を示すフローチャートである。ここでの動作手順は、第１実施の形態に示す、記録開始の通知を受けた第２携帯端末装置３０ｂにおける動作手順（図５参照）に対応しており、処理内容としてはステップＳ２２６のみが異なる。
各テレビ電話装置へ記録開始が通知され（図１５、ステップＳ２１４参照）、記録開始通知を受信した第２携帯端末装置３０ｂは、図１６に示すように、先ず、記録開始された旨と現在の許可情報ａを表示する（ステップＳ２２１）。
【００６１】
次に、第２携帯端末装置３０ｂは、操作者によるキー操作によって、変更と承諾を入力し（ステップＳ２２２）、操作者の承諾が得られたら、変更が有るか否かを判断する（ステップＳ２２３）。操作者が承諾した内容が、既に通知した内容から変更が有る（ｙｅｓ）場合、記録サーバ３１に送るべき更新情報を作成し（ステップＳ２２４）、変更が無い（ｎｏ）場合、処理を終了する。
【００６２】
更新情報を作成した後、署名管理部１８が更新情報に電子署名を付加し（ステップＳ２２５）、署名された更新情報を、記録サーバ３１へ送信する（ステップＳ２２６）。
この更新情報を記録サーバ３１が受信すると、記録サーバ３１は、第１実施の形態に示す、更新情報を受信した際の第１携帯端末装置１０ａにおける動作手順（図９参照）と同様の手順を実行して、署名された更新情報が記録サーバ３１に記録される。
つまり、第２実施の形態に係るテレビ電話通信システムにあっては、署名された更新情報の記録は、各テレビ電話装置とは別に設けられている記録サーバ３１（図１２，１３参照）によって行われる。なお、３台以上のテレビ電話装置３０間でテレビ電話を行うことが可能であり、この場合、第２携帯端末装置３０ｂが複数存在することがある。
【００６３】
図１７は、第１携帯端末装置３０ａが記録した通信情報を読み出して再生する動作手順を示すフローチャートである。ここでの動作手順は、第１実施の形態に示す、第１携帯端末装置３０ａが記録した通信情報を読み出して再生する動作手順（図１０参照）に対応するものである。但し、第１実施の形態にあっては、記録手段が第１携帯端末装置１０ａに設けられていたが、第２実施の形態にあっては、記録サーバ３１に設けられている。このため、処理の中には記録サーバ３１が実行するものがある。
【００６４】
図１７に示すように、先ず、記録サーバ３１が再生しようとする暗号化された通信情報ｂに関連付けて記録してある許可情報ａを、ハードディスク３７から読み出す（ステップＳ２４１）。許可情報ａを読み出した後、確認要求情報を処理する（ステップＳ２４２）。これは、許可情報ａに格納されている確認要求情報のサブルーチンによる処理である。
次に、許可情報ａを調べて再生が許可されているか否かを判断する（ステップＳ２４３）。判断の結果、再生が許可されている（ｙｅｓ）場合、記録サーバ３１が通信情報ｄを読み出す（ステップＳ２４４）。この通信情報ｄは、暗号化されていない状態で記録サーバ３１のハードディスク３７に記録されている。一方、再生が許可されていない（ｎｏ）場合、処理を終了する。
【００６５】
通信情報ｄを読み出した後、通信情報ｄを、記録サーバ３１から第１携帯端末装置３０ａへ送信する（ステップＳ２４５）。通信情報ｄを受信した第１携帯端末装置３０ａは、コーデック部１２が、通信情報ａに含まれるデータを復号してＡＶ入出力部１１に供給する（ステップＳ２４６）。
その後、ＡＶ入出力部１１は、供給されたデジタルデータをＡ／Ｄ変換し、アナログ信号として、再生装置に供給する。復号したデータが供給されたＡＶ入出力部１１は、ＡＶ入出力部１１に接続してある再生装置、即ち、ディスプレイとスピーカにより、画面及び音波を再生し（ステップＳ２４７）、処理を終了する。
【００６６】
図１８は、図１７のサブルーチンＳ２４２の動作手順を示すフローチャートである。図１８に示すように、先ず、記録サーバ３１は許可情報ａが確認要求情報を含んでいるか否かを判断する（ステップＳ２５１）。判断の結果、確認要求情報が有る（ｙｅｓ）場合、確認要求条件を満たしているか否かを判断し（ステップＳ２５２）、確認要求情報が無い（ｎｏ）場合、処理を終了してリターンする。
確認要求条件を満たしているか否かの判断（ステップＳ２５２）の結果、確認要求条件を満たしている（ｙｅｓ）場合、第２携帯端末装置３０ｂに送信する確認情報を所定のフォーマットに従って作成し（ステップＳ２５３）、確認要求条件を満たしていない（ｎｏ）場合、処理を終了してリターンする。
【００６７】
次に、記録サーバ３１は通信部１４が作成した確認情報を、第２携帯端末装置３０ｂに送信し（ステップＳ２５４）、第２携帯端末装置３０ｂからの更新情報を待つ（ステップＳ２５５）。更新情報が受信された際にはイベントを発生し、これが、次のサブルーチンである許可情報ａの更新処理を実行するきっかけとなる。更新情報が受信されると、受信した更新情報に応じて許可情報ａの更新処理を行う（ステップＳ２５６）。この処理は、更新情報を受信した際の第１携帯端末装置の動作手順（図９参照）と同一の手順で行われる。
【００６８】
上述したように、この発明に係る通信端末装置は、通話対象の通信端末装置から、通話を記録した後の該記録した通話内容の再生許可に関する情報を受信する受信手段と、前記通話内容を記録する際に、該通話内容と前記通話内容の再生許可に関する情報とを関連付けて記録する記録手段と、該記録手段により記録された通話内容を再生する際、該再生する通話内容に関連付けて記録されている前記通話内容の再生許可に関する情報に基づいて前記通話内容を再生する再生手段とを有する。
【００６９】
また、前記通話内容の再生許可に関する情報に、前記通話対象の通信端末装置に再生の確認を求める旨の情報が含まれている場合、前記再生手段は、前記通話内容を再生する際、前記通話対象の通信端末装置に再生の可否を確認し、前記通話対象の通信端末装置から再生の許可を得た場合に限り、前記通話内容を再生する。
また、テレビ電話通信機能を備え、該テレビ電話通信機能を備えた前記通話対象の通信端末装置との間で、テレビ電話通信を行うテレビ電話装置である。
【００７０】
この発明に係る通信制御装置は、通話中の通信端末装置から、当該通話を記録した後の該記録した通話内容の再生許可に関する情報を受信する受信手段と、前記通話中の通信端末装置から当該通話内容を記録する指示を受けた際に、該通話内容と前記通話中の通信端末装置から前記受信手段により受信した前記通話内容の再生許可に関する情報とを関連付けて記録する記録手段と、該記録手段により記録された通話内容を再生する際、該再生する通話内容に関連付けて記録されている前記通話内容の再生許可に関する情報に基づいて、前記通話内容を再生を指示した通信端末装置に送信する送信手段とを有する。
【００７１】
また、前記通話内容の再生許可に関する情報に、該情報を送信した通信端末装置に対して再生の確認を求める旨の情報が含まれている場合、前記送信手段は、前記通話内容を再生する際、前記情報を送信した通信端末装置に対して再生の可否を確認し、当該通信端末装置から再生の許可を得た場合に限り、前記通話内容を送信する。
また、複数の前記通信端末装置と共に通信網に接続されて、前記通信端末装置のそれぞれと通信し、通話情報を記録する記録サーバである。
また、前記通信端末装置は、テレビ電話通信機能を備え、前記通信端末装置間でテレビ電話通信を行うテレビ電話装置である。
【００７２】
この発明に係る通信記録再生方法は、通話対象の通信端末装置から、通話を記録した後の該記録した通話内容の再生許可に関する情報を受信する処理と、前記通話内容を記録する際に、該通話内容と前記通話内容の再生許可に関する情報とを関連付けて記録する処理と、記録された通話内容を再生する際、該再生する通話内容に関連付けて記録されている前記通話内容の再生許可に関する情報に基づいて前記通話内容を再生する処理とを有する。
【００７３】
また、通話中の通信端末装置から、当該通話を記録した後の該記録した通話内容の再生許可に関する情報を受信する処理と、前記通話中の通信端末装置から当該通話内容を記録する指示を受けた際に、該通話内容と前記通話中の通信端末装置から前記受信手段により受信した前記通話内容の再生許可に関する情報とを関連付けて記録する処理と、記録された通話内容を再生する際、該再生する通話内容に関連付けて記録されている前記通話内容の再生許可に関する情報に基づいて、前記通話内容を再生を指示した通信端末装置に送信する処理とを有する。
【００７４】
また、前記通話内容の再生許可に関する情報に、前記通信端末装置に再生の確認を求める旨の情報が含まれている場合、前記通話内容を再生する際、前記通信端末装置に再生の可否を確認し、前記通信端末装置から再生の許可を得た場合に限り、前記通話内容を再生する。
【００７５】
このように、この発明によれば、通信端末装置は、受信手段が、通話対象の通信端末装置から通話を記録した後の記録した通話内容の再生許可に関する情報を受信し、記録手段が、通話内容を記録する際に、通話内容と通話内容の再生許可に関する情報とを関連付けて記録し、再生手段が、記録手段により記録された通話内容を再生する際、再生する通話内容に関連付けて記録されている通話内容の再生許可に関する情報に基づいて通話内容を再生する。
【００７６】
また、通信制御装置は、受信手段が、通信中の通信端末装置から当該通話を記録した後の記録した通信内容の再生許可に関する情報を受信し、記録手段が、通信中の通信端末装置から当該通話内容を記録する指示を受けた際に、通話内容と通話中の通信端末装置から受信手段により受信した通話内容の再生許可に関する情報とを関連付けて記録し、送信手段が、記録手段により記録された通話内容を再生する際、再生する通話内容に関連付けて記録されている通話内容の再生許可に関する情報に基づいて、通話内容を再生を指示した通信端末装置に送信する。
【００７７】
また、通信記録再生方法は、通信対象通信端末装置から、通話を記録した後の記録した通話内容の再生許可に関する情報を受信して、通話内容を記録する際に、通話内容と通話内容の再生許可に関する情報とを関連付けて記録し、記録された通話内容を再生する際、再生する通話内容に関連付けて記録されている通話内容の再生許可に関する情報に基づいて通話内容を再生する。
これにより、記録された通信情報の再生の許可或いは不許可を、事後に設定したり再生の都度確認することができるようになる。
【００７８】
つまり、複数の端末が参加するテレビ電話装置において、記録された通信情報の著作権及び肖像権を許可なく利用することができないようにすることができ、テレビ電話装置で記録する場合は、暗号化してから記録し、暗号鍵は専用の保護された記録部に記録することにより、不正なプログラムによって暗号が破られる可能性を低下させるようにしている。また、テレビ電話装置とは独立して設けた記録サーバに記録する場合は、暗号化は不要となる。このため、顔画像や音声の想定外の不正利用を防止することができ、ユーザが安心してテレビ電話通話やテレビ電話会議を行うことができる。
なお、本発明は、上述した実施の形態により説明したが、この実施の形態に限定されるものではない。従って、本発明の趣旨を逸脱することなく変更態様として実施するものも含むものである。
【図面の簡単な説明】
【００７９】
【図１】この発明の第１実施の形態に係るテレビ電話装置の構成を示すブロック図である。
【図２】図１のテレビ電話装置がテレビ電話通信を行う際の通信環境を説明するブロック図である。
【図３】図１のテレビ電話装置においてテレビ電話通信の記録をする動作手順を示すフローチャートである。
【図４】図３のサブルーチンＳ１０５の動作手順を示すフローチャートである。
【図５】図４のＳ１１１で送信した記録開始の通知を受けた第２携帯端末装置における動作手順を示すフローチャートである。
【図６】第２携帯端末装置の表示装置における表示内容の説明図（その１）である。
【図７】第２携帯端末装置の表示装置における表示内容の説明図（その２）である。
【図８】第２携帯端末装置の表示装置における表示内容の説明図（その３）である。
【図９】更新情報を受信した際の第１携帯端末装置の動作手順を示すフローチャートである。
【図１０】第１携帯端末装置が記録した通信情報を読み出して再生する動作手順を示すフローチャートである。
【図１１】図１０のサブルーチンＳ１４２の動作手順を示すフローチャートである。
【図１２】この発明の第２実施の形態に係るテレビ電話装置の構成を示すブロック図である。
【図１３】図１２のテレビ電話装置がテレビ電話通信を行う際の通信環境を説明するブロック図である。
【図１４】図１２の第１携帯端末装置においてテレビ電話通信の記録をする動作手順を示すフローチャートである。
【図１５】図１４のサブルーチンＳ２０５の動作手順を示すフローチャートである。
【図１６】各テレビ電話装置が記録開始通知を受信した際の動作手順を示すフローチャートである。
【図１７】第１携帯端末装置が記録した通信情報を読み出して再生する動作手順を示すフローチャートである。
【図１８】図１７のサブルーチンＳ２４２の動作手順を示すフローチャートである。
【図１９】従来のデータ通信装置における受信側の動作手順を示すフローチャートである。
【図２０】従来のデータ通信装置における利用回数制限の動作手順を示すフローチャートである。
【符号の説明】
【００８０】
１０，３０  テレビ電話装置
１０ａ，３０ａ  第１携帯端末装置
１０ｂ，３０ｂ  第２携帯端末装置
１１  ＡＶ入出力部
１２  コーデック部
１３  制御部
１４，３５  通信部
１５，３７  ハードディスク
１６  暗号部
１７  鍵記録部
１８，３６  署名管理部
１９  網
２０  通信制御サーバ
３１  記録サーバ
３２  ＣＰＵ
３３  ＲＯＭ
３４  ＲＡＭ
ａ  許可情報
ｂ  暗号化通情情報
ｃ  鍵
ｄ  通信情報
Ｐ１  映像
Ｐ２  映像
Ｐ３〜Ｐ５  サブ画面
Ｐ６  通話時間
Ｐ７  メッセージ
Ｐ９  選択肢
Ｐ１０  選択肢
【図１】
2007267337.tif 000003
【図２】
2007267337.tif 000004
【図３】
2007267337.tif 000005
【図４】
2007267337.tif 000006
【図５】
2007267337.tif 000007
【図６】
2007267337.tif 000008
【図７】
2007267337.tif 000009
【図８】
2007267337.tif 000010
【図９】
2007267337.tif 000011
【図１０】
2007267337.tif 000012
【図１１】
2007267337.tif 000013
【図１２】
2007267337.tif 000014
【図１３】
2007267337.tif 000015
【図１４】
2007267337.tif 000016
【図１５】
2007267337.tif 000017
【図１６】
2007267337.tif 000018
【図１７】
2007267337.tif 000019
【図１８】
2007267337.tif 000020
【図１９】
2007267337.tif 000021
【図２０】
2007267337.tif 000022